(57)【要約】【課題】衝撃及び輸送中の振動等によりランプに加わる外力を吸収することができ、外力によるランプの亀裂、及び割れを防ぐことができるクリップ及び該クリップを備える光源装置を提供する。【解決手段】並置される円筒形状のランプ２を径方向に挟んで保持し、ランプ２の径方向への撓みを可能としてある二つの可撓片５１，５１と、該可撓片５１，５１の両側に離隔して配され、可撓片５１，５１の撓みを規制する二つの規制片４１，４１と、該規制片４１，４１を支持する支持部３とを備え、ランプ２に加わる外力により可撓片５１，５１の一方を撓ませつつ該可撓片５１の撓みを一方の規制片４１が規制し、前記外力を吸収するようにした。【選択図】図３
2009252631.tif 000002
【特許請求の範囲】
【請求項１】
並置される円筒形状のランプを保持する保持部を有するクリップにおいて、前記保持部は、前記ランプの径方向への撓みを可能としてあり、該保持部の撓みを規制する規制部を備えることを特徴とするクリップ。
【請求項２】
前記保持部は、前記ランプを径方向に挟んで保持する二つの可撓片を有する請求項１記載のクリップ。
【請求項３】
前記保持部は前記ランプの周面に吸着すべき吸盤である請求項１記載のクリップ。
【請求項４】
前記規制部は、前記可撓片夫々、又は、前記吸盤から前記撓みの方向へ離隔して配される二つの規制片、及び該規制片夫々を結合する結合部を有し、該結合部に前記保持部を装着してある請求項２又は３記載のクリップ。
【請求項５】
前記保持部は、前記結合部に取外しを可能に取付けられる取付部を有する請求項４記載のクリップ。
【請求項６】
前記保持部を支持する支持部を有し、前記規制部は、前記支持部から前記可撓片夫々と対向する位置へ延出され、且つ延出の先部が前記可撓片夫々に固定される延出片である請求項２記載のクリップ。
【請求項７】
並置される複数本のランプと、該ランプを収容して支持するケースと、請求項１から６のいずれか一つに記載のクリップとを備えることを特徴とする光源装置。
【発明の詳細な説明】
【技術分野】
【０００１】
本発明は円筒形状をなすランプを挾持するクリップ及び液晶ディスプレイ等の表示装置の光源として使用される光源装置に関する。
【背景技術】
【０００２】
液晶ディスプレイ等の表示装置は、画像を表示する表示面を前側に有する表示部の後側に光源装置が配されている。
【０００３】
光源装置は、後壁に複数の係止孔を有し、前側が開放されている収納容器と、該収納容器内に上下に並置される複数本の円筒形をなすランプと、該ランプの両端部を前記後壁に保持するホルダと、前記ランプの中間部を前記後壁に固定する複数のクリップとを備える（例えば、特許文献１参照）。
【０００４】
クリップは、ランプの径方向に離隔して対向する結合片を一面に有し、他面が収納容器の後壁に取付けられる板状のクリップ本体と、ランプの半周長に対応する保持凹部及び前記結合片が挿入係止される被係止孔を有し、ランプの全周を径方向に挟んで保持する二つの保持板とを備え、該保持板夫々の被係止孔にクリップ本体の結合片を挿入係止することによりランプの中間部を収納容器の後壁に固定してある。
【特許文献１】特開２００７−１５７６９８号公報
【発明の開示】
【発明が解決しようとする課題】
【０００５】
特許文献１のように二つの保持板がランプの中間部を径方向に挟んで保持するクリップによれば、ランプの中間部を保持する保持剛性を高めることができ、ランプの収納容器内での安定性を高めることができる。しかし、比較的大型の液晶ディスプレイでは、ランプの全長が比較的長いため、特許文献１のように二つの保持板の保持凹部がランプの全周を径方向に挟んで保持するクリップにあっては、液晶ディスプレイに加わる衝撃、及び輸送中の振動等によりランプに外力が加わったとき、該ランプに亀裂が発生したり、割れたりする可能性が高くなるという問題があり、また、部品点数が増加し、組立て作業性も悪いという問題がある。
【０００６】
本発明は斯かる事情に鑑みてなされたものであり、主たる目的は円筒形状のランプを保持する保持部を、ランプの径方向への撓みを可能とし、該保持部の撓みを規制する規制部を設けることにより、衝撃及び輸送中の振動等によりランプに加わる外力を吸収することができ、外力によるランプの亀裂、及び割れを防ぐことができるクリップ及び該クリップを備える光源装置を提供することにある。
【課題を解決するための手段】
【０００７】
本発明に係るクリップは、並置される円筒形状のランプを保持する保持部を有するクリップにおいて、前記保持部は、前記ランプの径方向への撓みを可能としてあり、該保持部の撓みを規制する規制部を備えることを特徴とする。
【０００８】
この発明にあっては、ランプの径方向への撓みを可能としてある保持部がランプを保持するため、衝撃及び輸送中の振動等により比較的小さい外力がランプに加わる場合、該外力を保持部の撓みにより吸収することができ、また、比較的大きい外力がランプに急激に加わる場合、該外力により保持部が過剰に撓むのを規制して外力を吸収することができ、外力によるランプの亀裂、及び割れを防ぐことができる。また、可撓性を有する保持部がランプを保持しているため、部品点数を低減でき、組立て作業性を向上することができる。
【０００９】
また、本発明に係るクリップは、前記保持部は、前記ランプを径方向に挟んで保持する二つの可撓片を有する構成とするのが好ましい。
この発明にあっては、二つの可撓片の離隔方向への撓み性を高めることができるため、比較的大きい外力がランプに急激に加わる場合においても該外力を吸収することが可能であり、急激な外力によるランプの亀裂、及び割れをより一層良好に防ぐことができる。
【００１０】
また、本発明に係るクリップは、前記保持部は前記ランプの周面に吸着すべき吸盤である構成とするのが好ましい。
この発明にあっては、吸盤の中央部が負圧となり、周縁部がランプの周面に密着するため、保持部のランプ周面との接触面積を多くすることができ、ランプの周面に加わる面圧を分散することができ、外力によるランプの亀裂、及び割れをより一層良好に防ぐことができる。
【００１１】
また、本発明に係るクリップは、前記規制部は、前記可撓片夫々、又は、前記吸盤から前記撓みの方向へ離隔して配される二つの規制片、及び該規制片夫々を結合する結合部を有し、該結合部に前記保持部を装着してある構成とするのが好ましい。
この発明にあっては、二つの規制片及び結合部を有する規制部の内側に保持部を配してあるため、該保持部の撓み方向両方への最大撓み量を簡易に均等化することができ、外力吸収性を高めることができる。
【００１２】
また、本発明に係るクリップは、前記保持部は、前記結合部に取外しを可能に取付けられる取付部を有する構成とするのが好ましい。
この発明にあっては、保持部を規制部より軟質の材料により形成することができるため、保持部の可撓性を高めることができる。
【００１３】
また、本発明に係るクリップは、前記保持部を支持する支持部を有し、前記規制部は、前記支持部から前記可撓片夫々と対向する位置へ延出され、且つ延出の先部が前記可撓片夫々に固定される延出片である構成とするのが好ましい。
この発明にあっては、保持部の可撓片夫々と、支持部及び規制部の延出片夫々とを一体に成形して一つの部品とすることが可能であるため、クリップの取付け作業性を高めることができる。
【００１４】
また、本発明に係る光源装置は、並置される複数本のランプと、該ランプを収容して支持するケースと、前述の発明のクリップとを備えることを特徴とする。
この発明にあっては、ランプの径方向への撓みを可能としてある保持部を有するクリップがランプを保持するため、衝撃及び輸送中の振動等により比較的小さい外力がランプに加わる場合、該外力を保持部の撓みにより吸収することができ、また、比較的大きい外力がランプに急激に加わる場合、該外力により保持部が過剰に撓むのを規制して外力を吸収することができ、外力によるランプの亀裂、及び割れを防ぐことができる。
【発明の効果】
【００１５】
本発明によれば、衝撃及び輸送中の振動等により比較的小さい外力がランプに加わる場合、該外力を保持部の撓みにより吸収することができ、また、比較的大きい外力がランプに急激に加わる場合、該外力により保持部が過剰に撓むのを規制して外力を吸収することができ、外力によるランプの亀裂、及び割れを防ぐことができる。
【発明を実施するための最良の形態】
【００１６】
以下本発明をその実施の形態を示す図面に基づいて詳述する。
実施の形態１
図１は本発明に係る光源装置が備えるケースの構成を示す正面図、図２はクリップの構成を示す斜視図、図３はクリップの構成を示す一部を省略した断面図である。
【００１７】
図示した光源装置は、直方体をなす枠部１１及び周縁部が枠部１１に結合され、該枠部１１の後側を閉鎖する後壁１２を有し、前側が開放されているケース１と、該ケース１内に上下に離隔して並置される円管状をなす複数本のランプ２と、該ランプ２の両端部を枠部１１の内側に保持するホルダと、ランプ２の中間部を後壁１２に保持する複数のクリップＡとを備え、ケース１の内面部は、ランプ２が発光した光をケース１の開放部側に反射させるべき反射面になっている。この反射面はコーティング層及び反射シートを含んでいる。
【００１８】
ケース１の後壁１２にはランプ２の長手方向中央部と対向する位置で、且つランプ２の並置方向へ離隔した位置にクリップ取付用の複数の係止片１３が突設されている。
【００１９】
ランプ２は両端部に電極を有する冷陰極管又は熱陰極管であり、夫々のランプ２の電極にインバータ回路基板が接続され、パルス幅変調信号により明るさが制御されるように構成されている。
【００２０】
クリップＡはケース１の反射面に対向し、略長円形をなす支持板部３１と、ランプ２の並置間隔と等間隔で支持板部３１の一面に突設されている支持柱部３２，３２と、該支持柱部３２，３２の先端に装着され、ランプ２の外周りに配される略Ｃ字形をなす規制部４，４と、該規制部４，４の内側中央部に装着され、ランプ２を径方向に挟んで保持する保持部５，５とを備える。尚、支持板部３１及び支持柱部３２，３２が支持部３を構成している。
【００２１】
支持板部３１の長手方向両端部には係止片１３に対応する被係止片３３，３３が突設され、該被係止片３３，３３を係止片１３，１３に係止することによりクリップＡをケース１の後壁１２に取付けるように構成されている。また、支持柱部３２，３２は十字形に配されるリブを有し、剛性を高くしてある。
【００２２】
保持部５夫々は、ランプ２の並置方向へ離隔して対向し、ランプ２を径方向に挟んで保持する二つの可撓片５１，５１、及び各可撓片５１，５１の一端を結合する結合部５２により略Ｃ字形をなし、ランプ２の径方向への撓みを可能としてある。この保持部５はランプ２の半周長よりも若干長い長さに形成され、ランプ２の径方向への抜け出しに抵抗を加えてあり、また、保持部５内側のランプ２周面と接触する面には複数の微小凸部が設けられ、ランプ２が径方向へ滑り難いように構成されている。また、結合部５２の外面には、先端に十字形の抜止凸部５３ａを有する取付部５３が一体に設けられている。このように取付部５３を有する保持部５はシリコンラバー等の弾性材により一体に成形され、取付部５３が規制部４の内側中央部に取外しを可能に取付けられている。
【００２３】
規制部４夫々は、可撓片５１，５１から前記撓みの方向へ離隔して配される二つの規制片４１，４１、及び各規制片４１，４１の一端を結合する結合部４２により略Ｃ字形をなし、結合部４２が支持柱部３２の先端に装着されている。規制片４１，４１の他端側は可撓片５１，５１側へ延出された規制凸部４１ａ，４１ａを有し、ランプ２の径方向へ撓んだ可撓片５１，５１が規制凸部４１ａ，４１ａの一方に当接することにより可撓片５１，５１が過剰に撓むのを規制するように構成されている。また、結合部４２の内側には十字形の取付孔４３が開設され、取付部５３が取付孔４３に挿入された状態で角回転されることにより取付部５３の抜止凸部５３ａが取付孔４３の内側に係止されるように構成されている。このように略Ｃ字形をなす規制部４夫々は、ポリカーボネート等の比較的硬質の合成樹脂材により前記支持部３と一体に成形されている。また、この成形された規制部４の両側面には均肉用の溝が設けられている。
【００２４】
以上のように構成された光源装置は、ケース１の隣合う二つの係止片１３，１３にクリップＡの被係止片３３，３３が係止され、また、ケース１内に複数本のランプ２が上下に離隔して並置され、ホルダを後壁１２に取付けることによりランプ２の両端部がケース１内に保持されるとともに、ランプ２の中間部（中央部）がクリップＡの可撓片５１，５１間に挿嵌保持される。
【００２５】
可撓片５１，５１はランプ２の周面位置より内側に配されており、ランプ２が可撓片５１，５１間に挿嵌されるとき、可撓片５１，５１が離隔方向へ撓みつつランプ２が可撓片５１，５１間に挿嵌され、可撓片５１，５１が近接方向へ弾性復元しつつ保持部５の内面がランプ２の周面を保持する。このとき、可撓片５１，５１はランプ２を保持していない状態に比べて若干離隔方向へ撓んでいる。
【００２６】
クリップＡの保持部５がランプ２を保持している状態で、衝撃及び輸送中の振動等により比較的小さい外力がランプ２に加わり、該外力によりランプ２の中間部が径方向へ振れる場合、保持部５の可撓片５１，５１が離隔方向（ランプ２の径方向）へ撓み、前記外力を吸収することができる。
【００２７】
前記衝撃及び輸送中の振動等により比較的大きい外力がランプ２に急激に加わり、該外力によりランプ２の中間部が径方向へ急激に振れる場合、保持部５における可撓片５１，５１の一方が離隔方向（ランプ２の径方向）へ撓み、前記外力を吸収しつつ可撓片５１の一方が規制片４１の規制凸部４１ａに当接し、可撓片５１の撓みが規制されて前記外力を吸収することができる。よって、ランプ２に加わる外力の大きさに関係なく、該外力を吸収することができ、外力によるランプ２の亀裂、及び割れを防ぐことができる。また、規制部４及び該規制部４を支持する支持部３が一体に成形された部品と、保持部５との二つの部品によりクリップＡを構成してあるため、クリップＡの部品点数を低減でき、組立て作業性を高めることができる。
【００２８】
実施の形態２
図４はクリップの他の構成を示す斜視図、図５はクリップの構成を示す一部を省略した断面図である。このクリップＡは、保持部５が二つの可撓片５１，５１を有する構成とする代わりに、保持部５を吸盤５４としたものである。
【００２９】
吸盤５４は、ランプ２の周面に沿って湾曲する湾曲板部５４ａと、該湾曲板部５４ａの中央部外面に突設され、先端に十字形の抜止凸部５４ｂを設けてある脚部５４ｃとを有し、シリコンラバー等の弾性材により一体に成形され、脚部５４ｃが規制部４における内側中央部の取付孔４３に取外しを可能に取付けられている。
【００３０】
湾曲板部５４ａは中央側が周縁部よりも窪み、周縁部をランプ２の周面に接触させてランプ２の径方向へ押圧することにより中央側が負圧となり、周縁部がランプ２の周面に密着するように構成されている。
【００３１】
この実施の形態にあっては、クリップＡの保持部５がランプ２を保持している状態で、衝撃及び輸送中の振動等により比較的小さい外力がランプ２に加わり、該外力によりランプ２の中間部が径方向へ振れる場合、吸盤５４の脚部５４ｃがランプ２の径方向へ撓み、前記外力を吸収することができる。
【００３２】
前記衝撃及び輸送中の振動等により比較的大きい外力がランプ２に急激に加わり、該外力によりランプ２の中間部が径方向へ急激に振れる場合、吸盤５４の脚部５４ｃがランプ２の径方向へ撓み、前記外力を吸収しつつ湾曲板部５４ａが一方の規制片４１の規制凸部４１ａに当接し、脚部５４ｃの撓みが規制されて前記外力を吸収することができる。よって、ランプ２に加わる外力の大きさに関係なく、該外力を吸収することができ、外力によるランプ２の亀裂、及び割れを防ぐことができる。
その他の構成及び作用は図２、図３に示すクリップＡと同様であるため、同様の部品については同じ符号を付し、その詳細な説明及び作用効果の説明を省略する。
【００３３】
実施の形態３
図６はクリップの他の構成を示す斜視図、図７はクリップの構成を示す一部を省略した断面図である。このクリップＡは、略Ｃ字形をなす規制部４，４を有する構成とする代わりに、保持部５，５を支持する支持部３から可撓片５５，５５と対向する位置へ延出された延出片４４，４４が可撓片５５，５５の撓みを規制するように構成したものである。
支持部３は略長円形をなし、両端部に被係止片３３，３３を有する支持板部３１と、該支持板部３１の長手方向両側に立設された支持柱部３２，３２とを有し、該支持柱部３２，３２の先端に保持部５，５が装着されている。
【００３４】
保持部５，５は、ランプ２の並置方向へ離隔して対向し、ランプ２を径方向に挟んで保持する二つの可撓片５５，５５、及び各可撓片５５，５５の一端を結合する結合部５５ａにより略Ｃ字形をなし、シリコンラバー等の弾性材により一体に成形され、ランプ２の径方向への撓みを可能としてあり、結合部５５ａが支持柱部３２の先端に装着されている。可撓片５５，５５の他端側は内側へ延出された第１の当接凸部５５ｂ，５５ｂを有し、また、結合部５５ａの内側で、第１の当接凸部５５ｂ，５５ｂと三等配となる箇所に第２の当接凸部５５ｃが設けられ、第１、第２の当接凸部５５ｂ，５５ｃがランプ２の周面に当接し、ランプ２を保持している。
【００３５】
規制部４，４は、支持板部３１の長手方向両端部及び中央部から保持部５，５の両側へ延出され、延出の先端部が可撓片５５，５５夫々の長手方向中間部に固定された三つの延出片４４，４４，４４からなり、二つの保持部５，５における一方の可撓片５５，５５の撓みを両側二つの延出片４４，４４が規制し、二つの保持部５，５における他方の可撓片５５，５５の撓みを中央一つの延出片４４が規制するように構成されている。各延出片４４はポリカーボネート等の比較的硬質の合成樹脂材により支持部３と一体に成形されており、この成形品を成形用型のキャビティに配置した状態でシリコンラバー等の弾性材をキャビティに供給することにより保持部５，５が二色成形され、この二色成形により各延出片４４の上部が可撓片５５，５５に一体に結合固定される。
【００３６】
この実施の形態にあっては、クリップＡの保持部５，５がランプ２を保持している状態で、衝撃及び輸送中の振動等により比較的小さい外力がランプ２に加わり、該外力によりランプ２の中間部が径方向へ振れる場合、可撓片５５，５５がランプ２の径方向へ撓み、前記外力を吸収することができる。
【００３７】
前記衝撃及び輸送中の振動等により比較的大きい外力がランプ２に急激に加わり、該外力によりランプ２の中間部が径方向へ急激に振れる場合、可撓片５５，５５がランプ２の径方向へ撓み、前記外力を吸収しつつ可撓片５５，５５の一方の撓みが延出片４４により規制されて前記外力を吸収することができる。よって、ランプ２に加わる外力の大きさに関係なく、該外力を吸収することができ、外力によるランプ２の亀裂、及び割れを防ぐことができる。
その他の構成及び作用は図２〜図５に示すクリップＡと同様であるため、同様の部品については同じ符号を付し、その詳細な説明及び作用効果の説明を省略する。
【００３８】
実施の形態４
図８はクリップの他の構成を示す一部を省略した断面図である。このクリップＡは、略Ｃ字形をなす規制部４，４における規制片４１，４１の端部に、保持部５，５としての可撓片５６，５６を設けたものである。
【００３９】
規制部４，４は実施の形態２と同様、ポリカーボネート等の比較的硬質の合成樹脂材により支持部と一体に成形されている。
【００４０】
保持部５，５の可撓片５６，５６は、基端が規制片４１，４１の中間に連なり、先端が屈曲部５６ａ，５６ａを経て規制片４１，４１側へ屈曲し、この屈曲部５６ａ，５６ａがランプ２の周面に当接し、先端と規制片４１，４１との間の距離内で可撓片５６，５６の撓みを許容するように構成されている。この可撓片５６，５６は比較的薄肉の板状をなし、規制部４，４及び支持部３と一体に成形されているが、その他、シリコンラバー等の弾性材により規制片４１，４１と一体に二色成形される構成としてもよい。
【００４１】
この実施の形態にあっては、クリップＡの保持部５，５がランプ２を保持している状態で、衝撃及び輸送中の振動等により比較的小さい外力がランプ２に加わり、該外力によりランプ２の中間部が径方向へ振れる場合、可撓片５６，５６がランプ２の径方向へ撓み、前記外力を吸収することができる。
【００４２】
前記衝撃及び輸送中の振動等により比較的大きい外力がランプ２に急激に加わり、該外力によりランプ２の中間部が径方向へ急激に振れる場合、可撓片５６，５６がランプ２の径方向へ撓み、前記外力を吸収しつつ可撓片５６，５６の撓みが規制片４１，４１により規制されて前記外力を吸収することができる。よって、ランプ２に加わる外力の大きさに関係なく、該外力を吸収することができ、外力によるランプ２の亀裂、及び割れを防ぐことができる。
その他の構成及び作用は図２〜図５に示すクリップＡと同様であるため、同様の部品については同じ符号を付し、その詳細な説明及び作用効果の説明を省略する。
【００４３】
実施の形態５
図９はクリップの他の構成を示す一部を省略した断面図である。このクリップＡは、ランプ２の並置方向へ離隔して対向し、ランプ２を径方向に挟んで保持する二つの可撓片５７，５７と、ケース１の反射面に対向し、各可撓片５７，５７を支持する支持部３と、各可撓片５７，５７の外側に離隔して配され、可撓片５７，５７の離隔方向への撓みを規制する二つの規制片４５，４５とを有し、ランプ２の周方向の三等分位置に対応する三つの位置に、ランプ２の周面に各当接する二つの第１の当接部５７ａ及び第２の当接部５７ｂを設けたものである。
【００４４】
支持部３及び規制片４５，４５はポリカーボネート等の比較的硬質の合成樹脂材により一体に成形されており、可撓片５７，５７はシリコンラバー等の弾性材により支持部３及び規制片４５，４５と一体に二色成形されている。
【００４５】
支持部３は中央部が湾曲状に窪む断面凹形をなし、その中央部に第２の当接部５７ｂが配されている。
【００４６】
可撓片５７，５７は支持部３の窪み部両縁からランプ２の周縁に沿うように立ち上がる略い字形をなし、先端側が第１の当接部５７ａを経て規制片４５，４５側へ屈曲し、先端と規制片４５，４５との間の距離内で可撓片５７，５７の撓みを許容するように構成されている。
【００４７】
規制片４５，４５は支持部３の両端から立上り、可撓片５７，５７の先端と離隔して対向している。
【００４８】
この実施の形態にあっては、クリップＡの保持部５，５がランプ２を保持している状態で、衝撃及び輸送中の振動等により比較的小さい外力がランプ２に加わり、該外力によりランプ２の中間部が径方向へ振れる場合、可撓片５７，５７がランプ２の径方向へ撓み、前記外力を吸収することができる。
【００４９】
前記衝撃及び輸送中の振動等により比較的大きい外力がランプ２に急激に加わり、該外力によりランプ２の中間部が径方向へ急激に振れる場合、可撓片５７，５７がランプ２の径方向へ撓み、前記外力を吸収しつつ可撓片５７，５７の撓みが規制片４５，４５により規制されて前記外力を吸収することができる。よって、ランプ２に加わる外力の大きさに関係なく、該外力を吸収することができ、外力によるランプ２の亀裂、及び割れを防ぐことができる。
その他の構成及び作用は図２〜図５に示すクリップＡと同様であるため、同様の部品については同じ符号を付し、その詳細な説明及び作用効果の説明を省略する。
【００５０】
尚、本発明に係るクリップＡは、図２〜図８に示すように二つの保持部５，５を有し、２本のランプ２を挾持するクリップＡである他、図９に示すように一つの保持部５を有し、１本のランプ２を保持するクリップＡであってもよいし、また、三つ以上の保持部５を有し、３本以上のランプ２を保持するクリップＡであってもよい。
【００５１】
また、以上説明した実施の形態では、クリップＡを光源装置のケース１に取付ける手段として、ケース１の後壁１２が複数の取付片１３を有し、支持部３の両端部に被取付片３３を有する構成としたが、その他、ケース１の後壁１２が複数の係止孔を有し、該係止孔に挿入係止される係止爪を支持部３が有する構成としてもよく、クリップＡの取付構造は特に制限されない。
【図面の簡単な説明】
【００５２】
【図１】本発明に係る光源装置が備えるケースの構成を示す正面図である。
【図２】本発明に係るクリップの構成を示す斜視図である。
【図３】本発明に係るクリップの構成を示す一部を省略した断面図である。
【図４】本発明に係るクリップの他の構成を示す斜視図である。
【図５】本発明に係るクリップの構成を示す一部を省略した断面図である。
【図６】本発明に係るクリップの他の構成を示す斜視図である。
【図７】本発明に係るクリップの構成を示す一部を省略した断面図である。
【図８】本発明に係るクリップの他の構成を示す一部を省略した断面図である。
【図９】本発明に係るクリップの他の構成を示す一部を省略した断面図である。
【符号の説明】
【００５３】
１    ケース
２    ランプ
Ａ    クリップ
３    支持部
４    規制部
４１  規制片
４２  結合部
５    保持部
５１，５５，５７  可撓片
５３  取付部
５４  吸盤
４４  延出片
【図１】
2009252631.tif 000003
【図２】
2009252631.tif 000004
【図３】
2009252631.tif 000005
【図４】
2009252631.tif 000006
【図５】
2009252631.tif 000007
【図６】
2009252631.tif 000008
【図７】
2009252631.tif 000009
【図８】
2009252631.tif 000010
【図９】
2009252631.tif 000011